(57)【要約】      （修正有）【課題】熱消散ファンの磁石部品を安定的に保持し、ロータがステータからはずれることを効果的に防止する熱消散ファンを提供する。【解決手段】熱消散ファン３はステータ３２とロータ３４を含んでいる。ステータはベアリングと巻き線構造体を含み、ベアリングは巻き線構造体の中に配置されている。ロータはファンホイール３４０、リング形状ケース、および磁石部品３４４を含み、リング形状ケース３４２はファンホイールの中に配置され、磁石部品はリング形状ケースの中に配置される。ファンホイールはベアリングの中に挿入された回転軸を有し、巻き線構造体は磁石部品の中に配置される。少なくとも一つの突出部３４６がリング形状ケースの一方の側から内側に突き出し、巻き線構造体の下に伸び、磁石部品を保持する。【選択図】図４
0003182146.tif 000002
【実用新案登録請求の範囲】
【請求項１】
熱消散ファンであって：
ベアリングと巻き線構造体を含むステータであり、前記ベアリングは前記巻き線構造体の中に配置されているステータと；
ファンホイール、リング形状ケース、および磁石部品を含むロータであり、前記リング形状ケースは前記ファンホイールの中に配置され、前記磁石部品は前記リング形状ケースの中に配置され、
前記巻き線構造体が前記磁石部品の中に配置されるように、前記ファンホイールは、前記ベアリングの中に挿入された回転軸を有し、
前記磁石部品を保持し前記巻き線構造体と干渉するように、少なくとも一つの突出部が前記リング形状ケースの一方の側から内側に突き出しており、前記巻き線構造体の下に伸びている、ロータと；
を含むことを特徴とする熱消散ファン。
【請求項２】
前記巻き線構造体は複数のティースを有し、少なくとも一つの前記突出部の幅は２つの隣り合ったティースの間のギャップよりも小さい、
請求項１に記載の熱消散ファン。
【請求項３】
前記巻き線構造体は複数のティースを有し、少なくとも一つの前記突出部の長さは前記磁石部品と前記ティースとの間のギャップをカバーする、
請求項１に記載の熱消散ファン。
【請求項４】
前記リング形状ケースは、電磁誘導性材料からできている、
請求項１に記載の熱消散ファン。
【請求項５】
前記電磁誘導性材料は、電気亜鉛めっき鋼（ＳＥＣＣ）である、
請求項４に記載の熱消散ファン。
【考案の詳細な説明】
【技術分野】
【０００１】
本考案は、熱消散ファンに関する。より特定的には、磁石部品を安定的に保持し、ロータがステータからはずれることを効果的に防止する熱消散ファンに関する。
【背景技術】
【０００２】
図１を参照する。図１は、従来技術に係る熱消散ファン１の断面図である。図１に示すように、熱消散ファン１は、ファンフレーム１０、ステータ１２、およびロータ１４を含んでおり、ステータ１２とロータ１４はファンフレーム１０の中に配置されている。ステータ１２は、ベアリング１２０、複数のティース（ｔｅｅｔｈ）１２２、および複数のコイル１２４を含み、ティース１２２はベアリング１２０の周りに配置され、コイル１２４はティース１２２の周りに巻き付けられている。ロータ１４は、ファンホイール１４０と磁石部品１４２を含み、磁石部品１４２はファンホイール１４０の内壁に取り付けられ、ファンホイール１４０はベアリング１２０の中に挿入された回転軸１４４を有している。熱消散ファン１が電源オンされると、コイル１２４は磁気ポール（ｐｏｌｅ）を交互にスイッチし、コイル１２４と磁石部品１４２との間に磁力を誘発させ、ファンホイール１４０が回転するように駆動する。その結果、ファンホイール１４０によって、空気が流れるようにガイドされる。
【０００３】
一般的に、磁石部品１４２は、接着剤（例えば、嫌気性接着剤）によってファンホイール１４０の内壁に取り付けられている。しかしながら、長期間または高温での使用後に、嫌気性接着剤の品質は容易に劣化し、磁石部品１４２がファンホイール１４０からはずれることがある。さらに、ロータ１４の回転中に、高速回転によって誘発された振動によりロータ１４がステータ１２からはずれることもある。従って、熱消散ファンが故障、または電気機器の中の他の部品が損傷することがある。さらに、図２を参照する。図２は、従来技術に係る別の熱消散ファン１’の断面図である。図２に示すように、熱消散ファン１’は、マイラーフィルム（ｍｙｌａｒ  ｆｉｌｍ）１６を回転軸１４４を締結するための締結材として利用している。しかしながら、マイラーフィルム１６は長時間使用した後で簡単にはずれてしまい、高速回転によって誘発された振動によりロータ１４がステータ１２からはずれることもある。
【考案の概要】
【考案が解決しようとする課題】
【０００４】
本考案は、上述の問題を解決するために、磁石部品を安定的に保持でき、ロータがステータからはずれることを効果的に防止できる熱消散ファンを提供する。
【課題を解決するための手段】
【０００５】
本考案の実施例に従えば、熱消散ファンは、ステータとおよびロータを含んでいる。ステータは、ベアリングと巻き線構造体を含み、ベアリングは巻き線構造体の中に配置されている。ロータは、ファンホイール、リング形状ケース、および磁石部品を含み、リング形状ケースはファンホイールの中に配置され、磁石部品はリング形状ケースの中に配置されている。ファンホイールは、巻き線構造体が磁石部品の中に配置されるように、ベアリングの中に挿入された回転軸を有している。磁石部品を保持し巻き線構造体と干渉するように、少なくとも一つの突出部がリング形状ケースの一方の側から内側に突き出しており、巻き線構造体の下に伸びている。
【０００６】
上述のように、本考案は、磁石部品をリング形状ケースの中に配置し、磁石部品を保持するために、リング形状ケースの一方の側から内側に突き出している、少なくとも一つの突出部を利用する。さらに、ロータの回転軸がステータのベアリングに挿入されると、リング形状ケースの一方の側から内側に突き出している突出部は、巻き線構造体の下まで伸び、巻き線構造体と干渉する。従って、突出部は、ロータの停止または回転時に、ロータがステータからはずれることを防ぐことができる。
【０００７】
当業者にとっては、疑いなく、以下に続く種々の絵や図面で説明される好適な実施例に係る詳細な記載を読んだ後で、本考案のこうした目的または他の目的が明らかになるであろう。
【図面の簡単な説明】
【０００８】
【図１】図１は、従来技術に係る熱消散ファンの断面図である。
【図２】図２は、従来技術に係る別の熱消散ファンの断面図である。
【図３】図３は、本考案の実施例に従った熱消散ファンの斜視図である。
【図４】図４は、図３に示す熱消散ファンの分解図である。
【図５】図５は、図３に示す熱消散ファンについて別の視野からの分解図である。
【図６】図６は、図３に示す熱消散ファンについてラインＸ−Ｘに沿った断面図である。
【図７】図７は、図６における巻き線構造体、リング形状ケース、および磁石部品の底面図である。
【考案を実施するための形態】
【０００９】
図３から図７を参照する。図３は、本考案の実施例に従った熱消散ファン３の斜視図であり、図４は、図３に示す熱消散ファン３の分解図であり、図５は、図３に示す熱消散ファン３について別の視野からの分解図であり、図６は、図３に示す熱消散ファン３についてラインＸ−Ｘに沿った断面図であり、図７は、図６における巻き線構造体３２２、リング形状ケース３４２、および磁石部品３４４の底面図である。
【００１０】
図３から図６に示されるように、熱消散ファン３は、ファンフレーム３０、ステータ３２、およびロータ３４を含んでおり、ステータ３２とロータ３４はファンフレーム３０の中に配置されている。ステータ３２は、ベアリング３２０、巻き線構造体３２２を含み、ベアリング３２０は巻き線構造体３２２の中に配置されている。この実施例において、巻き線構造体３２２は、複数のティース３２４を有しており、二つの隣り合ったティースの間にはギャップが存在する。ティース３２４の数量は実際のアプリケーションに従って決定されるものであり、図示された実施例に限定されるものではないことが理解されるべきである。実際のアプリケーションにおいては、複数のコイル（図示なし）がティース３２４の周りに巻き付けられている。その上、熱消散ファン３は、さらに、回路基板３６とホールセンサー３８を含み、ホールセンサー３８は回路基板３６の上に配置されている。ホールセンサーの原理は、当業者によく知られており、ここでは説明しない。
【００１１】
ロータ３４は、ファンホイール３４０、リング形状ケース３４２、および磁石部品３４４を含み、リング形状ケース３４２はファンホイール３４０の中に配置され、磁石部品３４４はリング形状ケース３４２の中に配置されている。図５と図６に示すように、少なくとも一つの突出部３４６が、リング形状ケース３４２の一方の側から内側に突き出ている。この実施例においては、４つの突出部３４６が、リング形状ケース３４２の一方の側から内側に突き出ており、４つのティース３２４の間の４つのギャップ３２６に対応している。突出部３４６の数量は実際のアプリケーションに従って決定されるものであり、図示された実施例に限定されるものではないことが理解されるべきである。ロータ３４を組み立てるために、作業者は、磁石部品３４４をリング形状ケース３４２の内壁に取り付ける必要がある。この際に、突出部３４６は磁石部品３４４を保持することができる。後に、作業者は、磁石部品３４４が取り付いたリング形状ケース３４２をファンホイール３４０の中に配置する。従って、ロータが回転する際に、リング形状ケースの突出部３４６は、あらゆる接着剤（例えば、嫌気性接着剤）を使用しなくても磁石部品３４４を安定に保持することができ、また、高温下で磁石部品３４４がリング形状ケース３４２からはずれることを防ぐ。
【００１２】
さらに、ファンホイール３４０は回転軸３４８を有している。この実施例において、突出部３４６の幅Ｗは、２つの隣り合ったティース３２４の間のギャップ３２６より小さい。それゆえ、作業者は、ロータ３４の突出部３４６を、対応するティース３２４間のギャップ３２６に合わせて整列させることができ、突出部３２６にギャップ３２６を通過させ、回転軸３４８をステータ３２のベアリング３２０の中に挿入することができる。図５に示すように、巻き線構造体３４４が磁石部品の中に位置するようにである。この実施例において、突出部３４６の長さＬは、磁石部品３４４とティース３２４との間のギャップをカバーする。ロータ３４とステータ３２が組み立てられた後で、突出部が巻き線構造体３２２のティース３２４の下に伸びるようにである。
【００１３】
熱消散ファン１が電源オンされると、ティース３２４の周りに巻き付けられているコイル（図示なし）は、磁気ポールを交互にスイッチし、コイル１２４と磁石部品３４４との間に磁力を誘発させ、ファンホイール３４０が回転するように駆動する。その結果、ファンホイール３４０によって、空気が流れるようにガイドされる。突出部３４６は、回転軸３４８の軸方向において、巻き線構造体３２２と干渉しており、ロータ３４の停止または回転時に、ロータ３４がステータ３２からはずれることを防いでいる。突出部３４６は、ロータ３４の停止または回転時に巻き線構造体３２２の他の部位と干渉するように、ティース３２４を除いて、巻き線構造体３２２の他の部位の下に伸び得ることが理解されるべきである。
【００１４】
この実施例において、リング形状ケース３４２は、これに限定されるわけではないが、電磁誘導性材料からできており、電磁誘導性材料は、これに限定されるわけではないが、電気亜鉛めっき鋼（ＳＥＣＣ）であり得る。従って、磁石部品３４４とリング形状ケース３４２との間で磁力が誘発され、上述の接着剤を使用しないで、磁石部品３４４は、磁力によって、リング形状ケース３４２の内壁に取り付けられる。
【００１５】
上述のように、本考案は、磁石部品をリング形状ケースの中に配置し、磁石部品を保持するために、リング形状ケースの一方の側から内側に突き出している、少なくとも一つの突出部を利用する。さらに、ロータの回転軸がステータのベアリングに挿入されると、リング形状ケースの一方の側から内側に突き出している突出部は、巻き線構造体の下まで伸び、巻き線構造体と干渉する。従って、突出部は、ロータの停止または回転時に、ロータがステータからはずれることを防ぐことができる。
【００１６】
当業者であれば、本考案の開示の範囲内で、デバイスや方法の多くの変形例や代替案が可能であることが容易に理解されよう。従って、上記の開示は、添付の実用新案登録請求の範囲の境界によってのみ限定されるものと理解されるべきである。
【図１】
0003182146.tif 000003
【図２】
0003182146.tif 000004
【図３】
0003182146.tif 000005
【図４】
0003182146.tif 000006
【図５】
0003182146.tif 000007
【図６】
0003182146.tif 000008
【図７】
0003182146.tif 000009